(57)【要約】  コンピュータによる数値制御旋盤のための回転方法が、結合部（４）、中間部（５）、および切削部（２）を備える切削工具（１）を提供するステップであって、結合部（４）の長手方向中心軸が工具旋回軸（Ｒ１）を定め、切削部（２）は上面（７）を備え、上面（７）は結合部（４）から離れる方を向き、切削部（２）は第１のノーズ部（１０）を備え、第１のノーズ部（１０）は、第１の切れ刃（１１）と、第２の切れ刃（１２）と、第１の切れ刃（１１）と第２の切れ刃（１２）とを連結する凸状ノーズ切れ刃（１３）とを備える、切削工具（１）を提供するステップと、金属加工物（３１）を提供するステップと、金属加工物（３１）を加工物旋回軸（Ｒ２）の周りで旋回させるステップと、工具旋回軸（Ｒ１）を加工物旋回軸（Ｒ２）に対して垂直に設定するステップと、第１の切れ刃（１１）が有効となるように、および、第２の切れ刃（１２）が無効となるように、第１の経路（３６）を作るステップと、第１の切れ刃（１１）が無効となるように、および、第２の切れ刃（１２）が有効となるように、第２の経路（３７）を作るステップであって、第２の経路（３７）は第１の経路（３６）と反対である、第２の経路（３７）を作るステップと、切削工具（１）を工具旋回軸（Ｒ１）の周りで旋回させるステップとを含む。【選択図】図２５
2021516629.tif 000002
【特許請求の範囲】
【請求項１】
コンピュータによる数値制御旋盤のための回転方法であって、
−  結合部（４）、中間部（５）、および切削部（２）を備える切削工具（１）を提供するステップであって、前記中間部（５）は前記結合部（４）と前記切削部（２）との間で延び、前記結合部（４）の長手方向中心軸が工具旋回軸（Ｒ１）を定め、前記中間部（５）はその長手方向中心軸（Ａ１）に沿って延び、前記切削部（２）は上面（７）を備え、前記上面（７）は前記結合部（４）から離れる方を向き、前記切削部（２）は第１のノーズ部（１０）を備え、前記第１のノーズ部（１０）は、第１の切れ刃（１１）と、第２の切れ刃（１２）と、前記第１の切れ刃（１１）と前記第２の切れ刃（１２）とを連結する凸状ノーズ切れ刃（１３）とを備える、切削工具（１）を提供するステップと、
−  金属加工物（３１）を提供するステップと、
−  前記金属加工物（３１）を加工物旋回軸（Ｒ２）の周りで旋回させるステップと、
−  前記工具旋回軸（Ｒ１）を前記加工物旋回軸（Ｒ２）に対して垂直または実質的に垂直に設定するステップと、
−  前記第１の切れ刃（１１）が有効となるように、および、前記第２の切れ刃（１２）が無効となるように、第１の経路（３６）を作るステップと、
−  前記第１の切れ刃（１１）が無効となるように、および、前記第２の切れ刃（１２）が有効となるように、第２の経路（３７）を作るステップであって、前記第２の経路（３７）は、前記第１の経路（３６）と長手方向または径方向で反対もしくは実質的に反対に方向付けられる、第２の経路（３７）を作るステップと
を含み、
前記第１の経路（３６）の間、および／または、前記第２の経路（３７）の間、および／または、前記第１の経路（３６）の後であるが前記第２の経路（３７）の前に、前記切削工具（１）を前記工具旋回軸（Ｒ１）の周りで旋回させるステップを含む回転方法。
【請求項２】
前記第２の経路（３７）の間に機械加工表面（３８）の少なくとも一部分を前記第１の経路（３６）から機械加工するステップをさらに含む、請求項１に記載の方法。
【請求項３】
前記第１の経路の間に前記切削工具（１）を前記工具旋回軸（Ｒ１）の周りで第１の方向に旋回させるステップと、
前記第２の経路の間に前記切削工具（１）を前記工具旋回軸（Ｒ１）の周りで第２の方向に旋回させるステップであって、前記第２の方向は前記第１の方向と反対である、前記切削工具（１）を旋回させるステップと
をさらに含む、請求項１または２に記載の方法。
【請求項４】
前記第１の経路（３６）の後に前記切削工具（１）を前記金属加工物（３１）から後退させるステップと、
前記第２の経路（３７）の前に前記切削工具（１）を前記工具旋回軸（Ｒ１）の周りで旋回させるステップと
をさらに含む、請求項１から３のいずれか一項に記載の方法。
【請求項５】
所定の特徴を前記金属加工物（３１）に漸進的に切削するために前記第１の経路と前記第２の経路とを繰り返すステップをさらに含む、請求項１から４のいずれか一項に記載の方法。
【請求項６】
前記凸状ノーズ切れ刃（１３）との接触の点における前記金属加工物（３１）の接線が前記結合部（４）と交差または実質的に交差するように前記工具旋回軸（Ｒ１）を設定するステップをさらに含む、請求項１から５のいずれか一項に記載の方法。
【請求項７】
前記切削部（２）は第２のノーズ部（１０’）を備え、
前記第１のノーズ部（１０）および前記第２のノーズ部（１０’）は前記切削工具（１）の自由端を各々形成し、
上面図において、前記第１のノーズ部（１０）と前記第２のノーズ部（１０’）とは、前記中間部（５）の前記長手方向中心軸（Ａ１）の周りで測定されるときに互いに対して９０°超の角度を形成する、請求項１から６のいずれか一項に記載の方法。
【請求項８】
前記結合部（４）と前記中間部（５）とは工具本体（３）を合同で形成し、
前記切削部（２）は第１の切削インサート（２）の形態であり、
前記工具本体（３）の前端（２０）が、前記第１の切削インサート（２）のための第１のインサート座部（６）によって定められ、
前記第１の切削インサート（２）は、締め付け手段（１４）によって前記第１のインサート座部（６）において取り外し可能に締め付けられ、
前記第１の切削インサート（２）は、前記上面（７）と反対の下面（８）を備え、側面（９）が前記上面（７）と前記下面（８）とを連結し、
中間平面（Ｍ１）が前記上面（７）と前記下面（８）との間の中間で延び、
前記ノーズ切れ刃（１３）は、上面図において、０．１５〜１．３ｍｍの曲率半径を有して凸状に湾曲される、請求項１から７のいずれか一項に記載の方法。
【請求項９】
前記切削工具（１）を前記金属加工物（３１）から後退させるステップと、
前記第１のノーズ部（１０）が前記金属加工物（３１）から離れる方に移動させられるように、および、前記第２のノーズ部（１０’）が前記金属加工物（３１）に向けて移動させられるように、前記切削工具（１）を前記工具旋回軸（Ｒ１）の周りで旋回させるステップと
をさらに含む、請求項７または８に記載の方法。
【請求項１０】
前記凸状ノーズ切れ刃（１３）は前記工具旋回軸（Ｒ１）と交差または実質的に交差し、前記長手方向中心軸（Ａ１）は前記工具旋回軸（Ｒ１）と平行に、かつ前記工具旋回軸（Ｒ１）から離間している、請求項１から９のいずれか一項に記載の方法。
【請求項１１】
前記第１のノーズ部（１０）と前記第２のノーズ部（１０’）とは前記長手方向中心軸（Ａ１）に対して対称に配置され、
前記長手方向中心軸（Ａ１）は前記工具旋回軸（Ｒ１）と同一線上にある、請求項７から９のいずれか一項に記載の方法。
【請求項１２】
前記切削工具（１）は、第２のインサート座部において締め付けられる第２の切削インサート（２９）を備え、前記第２のインサート座部は前記工具本体（３）の前記中間部（５）において形成され、前記第２のインサート座部は、長手方向において前記第１の切削インサート（２）と前記結合部（４）との間に位置決めされ、前記第１の切削インサート（２）および前記結合部（４）から離間され、
前記方法は、
前記切削工具（１）を前記金属加工物（３１）から後退させるステップと、
前記切削工具（１）を前記工具旋回軸（Ｒ１）に沿って前方向に移動させるステップと
をさらに含む、請求項８から１１のいずれか一項に記載の方法。
【請求項１３】
最大切屑厚さを前記第１の経路および／または前記第２の経路の間に一定または実質的に一定に設定するステップをさらに含む、請求項１から１２のいずれか一項に記載の方法。
【請求項１４】
前記加工物旋回軸（Ｒ２）の周りでの前記金属加工物（３１）の旋回の方向は、前記第１の経路（３６）と前記第２の経路（３７）との両方の間で同じである、請求項１から１３のいずれか一項に記載の方法。
【請求項１５】
前記第１の経路（３６）と前記第２の経路（３７）とは長手方向において反対方向にある、請求項１から１４のいずれか一項に記載の方法。
【請求項１６】
コンピュータ数値制御旋盤によって実行されるとき、前記コンピュータ数値制御旋盤に、請求項１から１３のいずれか一項に記載の方法を実施させる命令を有するコンピュータプログラム。
【請求項１７】
請求項１４に記載のコンピュータプログラムを保存しているコンピュータ読取可能媒体。
【請求項１８】
請求項１４に記載のコンピュータプログラムを表しているデータ流。
【発明の詳細な説明】
【技術分野】
【０００１】
本発明は、金属切削の技術分野に属する。より詳細には、本発明は、コンピュータ数値制御またはコンピュータによる数値制御、つまり、ＣＮＣ、機械の使用による、金属加工物の回転のための方法の分野に属する。
【背景技術】
【０００２】
ＣＮＣ旋盤を使用する金属加工物の回転において、所定の形を有する部品を機械加工するために、複数の切削工具を使用することが一般的である。部品の所定の形は、相当に異なる可能性があり、スロットまたは溝などの異なる特徴を含む可能性がある。
【０００３】
部品の機械加工において、機械加工時間を短縮することが要求される。機械加工時間を短縮する１つの方法は、工具交換のための時間を短縮することである。
【０００４】
ＥＰ１１５８３７８Ｂ１は、単一の工具で複数の機械加工モードにおいて機械加工することができる機械工具を提供することを請求しており、工具交換による機械加工時間の損失が低減でき、準備される工具の数が低減できる。一方のノーズ部が自由端であり、それによって有効または使用可能な位置になるように、約５５°のノーズ角の２つの反対のノーズ部を備え、工具本体に装着される切削インサートを備える工具が提供される。スロットの機械加工（図７における工具位置２５Ｆ、２５Ｇ）が示されている。いわゆるＢ軸がいくつかの角度に設定され得る。
【０００５】
本発明者は、前述の方法および工具がさらに改良できることを見出した。
【発明の概要】
【０００６】
本発明者は、改良された方法に対する要求があることを見出した。例えば、前述の方法および工具を使用してスロットを機械加工するとき、可能なＢ角度調節の角度は、特にはスロットの深さおよび幅といった幾何学的形状の要因に基づいて制限される。比較的深く細いスロットについて、工具本体と加工物との間には干渉の危険性の増加がある。本発明者が見出した改良に対するさらなる要求は、特には、深いスロットの回転においてなど、大きな張り出しを有する切削工具が必要とされる場合の、振動の危険性に関する。改良に対するなおもさらなる要求は、ＣＮＣ機械についてのダウンタイムを短縮することに関する。
【０００７】
本発明の目的は、改良された回転方法を提供することである。これは、請求項１に定められているような回転方法によって、つまり、コンピュータによる数値制御旋盤のための回転方法であって、結合部、中間部、および切削部を備える切削工具を提供するステップであって、中間部は結合部と切削部との間で延び、結合部の長手方向中心軸が工具旋回軸を定め、中間部はその長手方向中心軸に沿って延び、切削部は上面を備え、上面は結合部から離れる方を向き、切削部は第１のノーズ部を備え、第１のノーズ部は、第１の切れ刃と、第２の切れ刃と、第１の切れ刃と第２の切れ刃とを連結する凸状ノーズ切れ刃とを備える、切削工具を提供するステップと、金属加工物を提供するステップと、金属加工物を加工物旋回軸の周りで旋回させるステップと、工具旋回軸を加工物旋回軸に対して垂直または実質的に垂直に設定するステップと、第１の切れ刃が有効となるように、および、第２の切れ刃が無効となるように、第１の経路を作るステップと、第１の切れ刃が無効となるように、および、第２の切れ刃が有効となるように、第２の経路を作るステップであって、第２の経路は、第１の経路と長手方向または径方向で反対もしくは実質的に反対に方向付けられる、第２の経路を作るステップとを含み、第１の経路の間、および／または、第２の経路の間、および／または、第１の経路の後であるが第２の経路の前に、切削工具を工具旋回軸の周りで旋回させるステップを含む回転方法によって実現される。
【０００８】
このような回転方法によって、所定の特徴または所定の特徴の下位部分がより短い時間で機械加工できる。例えば、すべての経路が同じ方向にある複数の経路を使用する従来の長手方向の回転と比較して、本方法は、第１の経路の終了位置から後続の経路のための開始位置までより小さい移動となり得るため、より迅速となる。
【０００９】
特に、スロット、または窪み、またはポケット、または溝を備える所定の特徴または所定の特徴の下位部分が、１つだけの切削部が必要であるため、より短い時間で機械加工できる。切削工具の旋回は十分な逃げを提供するように選択され得る。
【００１０】
さらに、切削工具の旋回によって、切込み角が送り方向および工具設計の結果である従来の回転と比較して、切込み角が自由に選択できる。したがって、工具耐用期間および／または切屑制御が向上され得る。
【００１１】
切削部の上面が結合部から離れる方を向き、工具旋回軸は加工物旋回軸に対して垂直または実質的に垂直であるこのような方法によって、接線方向の切削力が、結合部が連結される機械スピンドルに向けて方向付けられる。それによって、振動または撓みの危険性が低減させられる。それによって、より深いポケットが機械加工できる。
【００１２】
このような方法によって、単一の切削工具が数多くの種類の特徴を機械加工するために使用でき、それによって工具の在庫に対する必要性を低下させることができる。
【００１３】
このような方法によって、切削部の工具耐用期間は、インサートの摩耗が第１の切れ刃と第２の切れ刃との両方に沿ってより均一に分布させられ得るので、長くなり得る。
【００１４】
回転方法は、コンピュータによる数値制御（ＣＮＣ）旋盤を用いた使用のためである。より明確には、回転方法は、電子制御システムが所定の特徴を金属加工物の所定の場所へと切削するために切削工具および金属加工物の旋回を含む移動を制御する機械加工の順序である。
【００１５】
前記所定の特徴は、好ましくはポケットまたは溝を備える。前記所定の特徴は、好ましくは金属加工物の外側周囲面に開放している。
【００１６】
金属加工物の回転に適する切削工具が設けられる。別の言い方をすれば、切削工具は、旋回する金属加工物を切削するために使用できる回転工具である。切削工具は、ＣＮＣ旋盤の例えば機械スピンドルといった旋回可能な機械接合部分に、直接的に、または、１つまたは複数の工具装置によって連結される結合部を備える。ＣＮＣ旋盤は回転に適しており、例えば回転旋盤、マルチタスク機械、回転フライス機械、またはスライドヘッド式機械の形態であり得る。
【００１７】
結合部は、好ましくは、ＩＳＯ  ２６６２３−１：２０１４に準拠するなどのフランジ接触面を伴う多角形で中空の先細り接合部分、または、ＤＩＮ６９８９３、ＩＳＯ  １２１６４−１、またはＩＳＯ  １２１６４−１Ｆに準拠するなどのフランジ接触面を伴う中空の先細り部の形態においてなど、好ましくは円錐形または実質的に円錐形である。
【００１８】
結合部の長手方向中心軸が工具旋回軸を定める。別の言い方をすれば、結合部が例えば機械スピンドルといった機械接合部分に装着されるとき、切削工具は工具旋回軸の周りで旋回可能である。別の言い方をすれば、切削工具は工具旋回軸の周りで旋回可能となるように配置される。
【００１９】
工具旋回軸は結合部の長手方向中心軸である。切削工具はその工具旋回軸の周りで旋回可能となるように配置される。
【００２０】
結合部は、好ましくは、工具旋回軸の周りで対称的または実質的に対称的に配置される。
【００２１】
結合部は、好ましくは、中間部に永久的に連結され、それによって工具本体を形成する。
【００２２】
結合部および中間部は好ましくは鋼鉄から作られる。
【００２３】
中間部は、結合部と切削部との間で延び、結合部と切削部とを連結する。
【００２４】
中間部はその長手方向中心軸に沿って延びる。中間部は、好ましくは、その長手方向中心軸に対して対称的または実質的に対称的に配置される。
【００２５】
旋回軸に対して垂直な断面において、中間部は、好ましくは、中間部の前端においてより、つまり、中間部と切削部との間の交差部においてより、中間部の後端において、つまり、結合部と中間部との間の交差部において、大きさがより大きく、つまり、より大きな面積である。
【００２６】
長手方向中心軸は、好ましくは、工具旋回軸と平行または同一線上にあり、つまり、工具旋回軸と同軸である。長手方向中心軸が工具旋回軸と平行であることは、長手方向中心軸が工具旋回軸から離間されていることを意味する。
【００２７】
切削工具は切削部を備える。切削部は切削工具の前端を定める。結合部は切削工具の後端を定める。切削は、好ましくは、例えば超硬合金、陶性合金、立方晶窒化ホウ素（ＣＢＮ）、またはセラミックなど、硬い耐摩耗材料から作られる切削インサートの形態である。切削インサートは、好ましくは、中間部の前端に形成されるインサート座部に取り外し可能に装着される。
【００２８】
代替で、切削部、結合部、および中間部は単一の物体である。
【００２９】
切削部は、すくい面を備える上面を備える。
【００３０】
上面は結合部から離れる方を向いている。
【００３１】
上面は、工具旋回軸に対して垂直または実質的に垂直であり、つまり、１０°以内にある。
【００３２】
上面は、好ましくは１つまたは複数の突起の形態において、好ましくは切屑破壊手段を備える。
【００３３】
切削部は第１のノーズ部を備える。ノーズ部が、代わりに角部と呼ばれてもよい。
【００３４】
第１のノーズ部は、第１の切れ刃と、第２の切れ刃と、第１の切れ刃と第２の切れ刃とを連結する凸状ノーズ切れ刃とを備える。
【００３５】
ノーズ切れ刃は、上面図において、０．１５〜１．３ｍｍ、さらに好ましくは０．３〜０．９ｍｍの曲率半径を有する円弧など、好ましくは凸状に湾曲させられる。代替で、ノーズ切れ刃は、上面図において、異なる曲率半径を有する２つ以上の円弧を備える形など、完全な円弧から逸脱する凸状の形を有してもよい。例えば、ノーズ切れ刃はいわゆるワイパノーズ切れ刃であってもよい。
【００３６】
好ましくは、ノーズ切れ刃は中間部の長手方向中心軸に対して切削部の最も遠位の部分である。
【００３７】
第１の切れ刃および第２の切れ刃は各々、上面図において、好ましくは真っ直ぐまたは実質的に真っ直ぐである。好ましくは、上面図において、第１の切れ刃と第２の切れ刃との間の中間に形成される二等分線が中間部の長手方向中心軸と交差する。
【００３８】
第１の切れ刃と第２の切れ刃とは、上面図において、好ましくは、９０°未満、好ましくは１５°〜８５°、さらにより好ましくは２０°〜４０°であるノーズ角を形成する。
【００３９】
第１のノーズ部は切削工具の自由端を形成する。別に系統立てて言うと、第１のノーズ部は、切削工具の前端の径方向外側の端部分を備える。
【００４０】
したがって、第１のノーズ部は、切削工具の前端の径方向遠位の部分を形成し、ここで、前記径方向の距離は中間部の長手方向中心軸に対してである。
【００４１】
切削工具は、好ましくは、上面から締め付け部分までの距離が、中間部の長手方向中心軸に対して垂直な平面において測定される切削工具の最大直径より大きくなるように、中間部の長手方向中心軸の方向において細長くされる。
【００４２】
好ましくは、上面図において、切削部は、５０ｍｍの直径を有する円の内側にあり、より好ましくは、３５ｍｍの直径を有する円の内側にある。
【００４３】
好ましくは、切削工具は、８０〜４００ｍｍ、より好ましくは９０〜２５０ｍｍである、工具旋回軸に沿ってかまたは工具旋回軸と平行に測定される長さを有する。
【００４４】
好ましくは、切削工具は、切削工具の前記長さより小さく、好ましくは前記長さの０．２〜０．８倍である、工具旋回軸に対して垂直に測定される最大直径を有する。
【００４５】
好ましくは、工具旋回軸に沿ってかまたは工具旋回軸と平行に測定される結合部の長さは中間部の長さより小さい。
【００４６】
好ましくは、工具旋回軸に沿ってかまたは工具旋回軸と平行に測定される切削部の長さは、中間部の長さより小さく、より好ましくは中間部の長さの１５％未満である。
【００４７】
金属加工物が提供される。金属加工物は、例えば鋼鉄、ステンレス鋼、ニッケルに基づく超合金、またはアルミニウムから作られ得る。
【００４８】
金属加工物は、好ましくは、その旋回軸の周りで回転対称または実質的に回転対称である。例えば、金属加工物は円筒形または実質的に円筒形であり得る。
【００４９】
金属加工物は周囲面を備える。金属加工物が円筒形である場合、周囲面は、側部の面積または側面の面積（側部の面積２πｒｈ）と、上基部の面積および下基部の面積（基部の面積とも呼ばれる各々の面積はπｒ２である）とを備え、ここで、ｒは円筒の半径であり、ｈは円筒の高さ（加工物旋回軸に沿う）である。
【００５０】
金属加工物が円筒の形態でない場合であっても、側部の表面、つまり、加工物旋回軸から離れる方を向く表面と、基部の表面、つまり、加工物旋回軸と平行な方向を向く表面とをなおも定めることができる。
【００５１】
方法は、金属加工物をその加工物旋回軸の周りで回転させるステップを含む。前記加工物旋回軸の周りでの旋回の方向は、第１の経路と第２の経路との両方の間で同じである。金属加工物は、その締め付け端において締め付け手段によって締め付けられ、旋回はモータを用いて実現される。ＣＮＣ旋盤は前記モータを備える。金属加工物は、金属加工物の周囲面の速度が好ましくは４０〜１０００ｍ／ｍｉｎとなるように旋回する。
【００５２】
方法は、加工物旋回軸に対して、垂直である、または、実質的に垂直、つまり、１５°未満である工具旋回軸を設定するステップを含む。工具旋回軸と加工物旋回軸とは離間される。
【００５３】
方法は、第１の切れ刃が有効となり、前刃または主切れ刃となるように、および、第２の切れ刃が無効となり、後刃または副切れ刃となるように、切削工具および工具旋回軸を金属加工物に対して移動させることで、第１の経路を作るステップを含む。ノーズ切れ刃は、切れ刃を発生させる表面である。第１の経路は、金属加工物の機械加工表面を作り出すか、または形成するか、または結果的にもたらす。
【００５４】
前記第１の経路は、線形とでき、つまり、直線に沿うことができる。代替で、前記第１の経路は、湾曲され得る、または、非線形であり得る。いずれの場合でも、前記第１の経路は、好ましくは軸方向もしくは長手方向の成分である成分、つまり、長手方向の回転など、加工物旋回軸に沿う成分を含む、または代替で、フェーシングもしくはアウトフェーシングなど、加工物旋回軸に向かうかもしくは加工物旋回軸から離れる径方向の成分を含む。
【００５５】
金属加工物の旋回速度と組み合わされる前記移動の速度は、第１の切れ刃についての送り込み速さを結果的にもたらし、その送り込み速さは好ましくは０．０５〜１．５ｍｍ／回転である。
【００５６】
方法は、第１の切れ刃が無効となり、後刃または副切れ刃となるように、および、第２の切れ刃が有効となり、前刃または主切れ刃となるように、切削工具および工具旋回軸を金属加工物に対して移動させることで、第２の経路を作るステップを含む。ノーズ切れ刃は、切れ刃を発生させる表面である。第２の経路は機械加工表面を作り出す。
【００５７】
前記第２の経路は、線形とでき、つまり、直線に沿うことができる。代替で、前記第２の経路は、湾曲され得る、または、非線形であり得る。いずれの場合でも、前記第２の経路は、好ましくは軸方向もしくは長手方向の成分である成分、つまり、長手方向の回転など、加工物旋回軸に沿う成分を含む、または代替で、フェーシングもしくはアウトフェーシングなど、加工物旋回軸に向かうかもしくは加工物旋回軸から離れる径方向の成分を含む。
【００５８】
第１の経路についての開始位置と終了位置とは離間される。
【００５９】
第２の経路についての開始位置と終了位置とは離間される。
【００６０】
金属加工物の旋回速度と組み合わされる前記移動の速度は、第２の切れ刃についての送り込み速さを結果的にもたらし、その送り込み速さは好ましくは０．０５〜１．５ｍｍ／回転である。
【００６１】
第２の経路は、第１の方向と長手方向または径方向で反対もしくは実質的に反対に方向付けられる。別の言い方をすれば、第２の経路は、第１の方向と長手方向または径方向で反対もしくは実質的に反対である。例えば、第１の経路またはその成分が金属加工物の締め付け端に向かう場合、第２の経路またはその成分は金属加工物の前記締め付け端から離れる方を向く。別の言い方をすれば、第２の経路は第１の経路と長手方向で反対である。
【００６２】
別の例は、第１の経路またはその成分が加工物旋回軸に向かう場合である。このような場合、第２の経路またはその成分が加工物旋回軸から離れる。別の言い方をすれば、第２の経路は第１の経路と径方向で反対である。
【００６３】
別に系統立てて言うと、第１の経路であっても第２の経路であっても金属加工物の側部の表面の切削に両方とも関連付けられる、または、第１の経路および第２の経路は金属加工物の一方の基部の表面の切削に両方とも関連付けられる。第１の例では、第１の経路および第２の経路は、長手方向の回転加工、または、長手方向において反対方向でのプロフィール回転加工であり得る。
【００６４】
第２の例では、第１の経路および第２の経路は、それぞれインフェーシング加工およびアウトフェーシング加工など、フェーシング加工であり得る。
【００６５】
別の言い方をすれば、「第２の経路は、第１の経路と長手方向または径方向で反対もしくは実質的に反対である」という表現は、第１の経路が長手方向の成分を含み、第２の経路が反対の長手方向の成分を含むかのように理解でき、第１の経路が径方向の成分を含む場合、第２の経路は反対の径方向の成分を含む。
【００６６】
線形であり、径方向、つまり、加工物旋回軸に対して垂直である第２の経路は、第２の経路が加工物旋回軸に沿う成分を有していないため、線形であり、加工物旋回軸と平行である第１の経路の反対とは見なされない。
【００６７】
好ましくは、第１の経路および第２の経路によって形成される所定の特徴または所定の特徴の下位部分は、金属加工物の側部の表面において完全にかまたは大規模に形成され、第１の方向および第２の方向の反対の成分はそれぞれ長手方向である。
【００６８】
代替で、第１の経路および第２の経路によって形成される所定の特徴または所定の特徴の下位部分は、金属加工物の基部の表面において完全にかまたは大規模に形成され、第１の経路および第２の経路の反対の成分はそれぞれ径方向である。
【００６９】
第１の経路および第２の経路のそれぞれの間の工具旋回軸の移動は、好ましくは平行な移動である。別の言い方をすれば、工具旋回軸の初期、中間、および最終の配向または位置が平行である。
【００７０】
第１の経路および第２の経路は自動化された切削サイクルである。
【００７１】
方法は、第１の経路の間、および／または、第２の経路の間、および／または、第１の経路の後であるが第２の経路の前に、回転工具を工具旋回軸の周りで旋回させるステップを含む。別の言い方をすれば、方法は、工具旋回軸の周りでの回転工具の旋回移動を含む。
【００７２】
工具旋回軸の周りでの回転工具の前記旋回は、好ましくは、第１の経路および／または第２の経路の間の場合、切込み角が一定または実質的に一定となるように送り方向の変化と同期する。
【００７３】
工具旋回軸の周りで回転工具を旋回させるステップは、第１の経路と第２の経路との間であり得る、つまり、第１の経路の後であるが第２の経路の前であり得る。このような場合、回転工具は、３６０°未満、好ましくは２０°〜１７０°、より好ましくは４０°〜１３０°である工具旋回軸の周りでの角度で旋回する。
【００７４】
工具旋回軸の周りで回転工具を旋回させるステップは、代替で、第１の経路の間、つまり、第１の経路と同時であってもよい。このような場合、回転工具は、３６０°未満、好ましくは５°〜１８０°、より好ましくは１０°〜１７０°である工具旋回軸の周りでの角度で旋回する。
【００７５】
回転工具を工具旋回軸の周りで回転させるステップは、代替で、第２の経路の間、つまり、第２の経路と同時であってもよく、つまり、工具旋回軸を反対の第２の方向において移動させるステップの間、つまり、そのようなステップと同時であってもよい。このような場合、回転工具は、３６０°未満、好ましくは５°〜１８０°、より好ましくは１０°〜１７０°である工具旋回軸の周りでの角度で旋回する。
【００７６】
工具旋回軸の周りで回転工具を旋回させるステップは、代替で、第１の経路および第２の経路の間、つまり、第１の経路および第２の経路と同時であってもよい。このような場合、第１の経路および第２の経路のそれぞれの間の回転工具は、好ましくは５°〜１８０°、より好ましくは１０°〜１７０°である工具旋回軸の周りでの角度で旋回する。このような場合、第１の経路の間の旋回の方向は、第２の経路の間の旋回の方向と反対である。別の言い方をすれば、第１のステップの間の旋回が時計回りである場合、第２のステップの間の旋回は反時計回りであり、第１のステップの間の旋回が反時計回りである場合、第２のステップの間の旋回は時計回りである。
【００７７】
第１の経路および第２の経路の間、切削部の上面はすくい面またはすくい表面として機能する。
【００７８】
実施形態によれば、方法は、第２の経路の間に機械加工表面の少なくとも一部分を第１の経路から機械加工するステップをさらに含む。
【００７９】
このような回転方法によって、所定の特徴がより短い時間で機械加工できる。例えば、すべての経路が同じ方向にある複数の経路を使用する従来の長手方向の回転と比較して、本方法は、第１の経路の終了位置から後続の第２の経路のための開始位置までより小さい移動となり得るため、より迅速となる。
【００８０】
特に、金属加工物の側部の表面もしくは基部の表面に形成される、窪み、またはポケット、または溝を備える所定の特徴は、１つだけの切削部が必要であるため、より短い時間で機械加工できる。
【００８１】
第１の経路は第２の経路に先行する。第１の経路からの機械加工表面の好ましくは少なくとも５０％、さらにより好ましくは少なくとも８０％は、第２の経路の間に機械加工される。
【００８２】
好ましくは、第１の経路についての開始位置から第２の経路についての終了位置までの間の距離は、第１の経路の開始位置と終了位置との間の距離より短い。
【００８３】
第１の経路および第２の経路は各々、少なくとも一部で円弧形とされてもよい。
【００８４】
実施形態によれば、方法は、第１の経路の間に切削工具を工具旋回軸の周りで第１の方向に旋回させるステップと、第２の経路の間に切削工具を工具旋回軸の周りで第２の方向に旋回させるステップであって、前記第２の方向は前記第１の方向と反対である、切削工具を旋回させるステップとをさらに含む。
【００８５】
切削工具は第１の経路および第２の経路の間に旋回するこのような方法によって、より複雑な形とされる所定の特徴が１つだけのノーズ部を用いて機械加工できる。
【００８６】
このような方法によって、凹状のポケットなどの所定の特徴が、切込み角が良好な切屑制御および／または表面仕上げを実現するために各々の瞬間において選択され得るように、機械加工され得る。
【００８７】
第１の方向および第２の方向における工具旋回軸の移動は、それぞれ好ましくは非線形の移動である。別の言い方をすれば、第１の経路および第２の経路は非線形の線または工具経路に沿っている。
【００８８】
好ましくは、第１の経路および第２の経路は凹状の線または工具経路に沿っている。
【００８９】
したがって、方法は、第１の経路の間、つまり、第１の切れ刃が有効である間、切削工具を工具旋回軸の周りで第１の方向に旋回させるステップと、第２の経路の間、つまり、第２の切れ刃が有効である間、切削工具を工具旋回軸の周りで第２の方向に旋回させるステップであって、前記第２の方向は前記第１の方向と反対である、切削工具を旋回させるステップとを含む。例えば、第１の経路の間の旋回が時計回りである場合、第２の経路の間の旋回は反時計回りであり、第１の経路の間の旋回が反時計回りである場合、第２の経路の間の旋回は時計回りである。
【００９０】
第１の経路および／または第２の経路の間の旋回は時計回りと反時計回りとの両方を含み得る。
【００９１】
好ましくは、工具旋回軸の周りでの切削工具の旋回は、切込み角、つまり、リード角が一定または実質的に一定となるようになっている。別の言い方をすれば、好ましくは、送り方向と有効な切れ刃とは、第１の経路および第２の経路のそれぞれの間、互いに対して一定または実質的に一定の角度を形成する。
【００９２】
前記切込み角は、好ましくは９０°以下であり、好ましくは５°〜８５°である。
【００９３】
別に系統立てて言うと、好ましくは、方法は、第１のステップおよび第２のステップの間、切込み角を一定または実質的に一定に設定するステップを含む。
【００９４】
第１の経路および第２の経路のそれぞれについての開始位置と終了位置との間での角度差として定められる、第１の経路および第２の経路のそれぞれの間の工具旋回軸の周りでの切削工具の旋回は、好ましくは３００°未満、好ましくは５°〜１８０°、より好ましくは１０°〜１７０°である。
【００９５】
実施形態によれば、方法は、第１の経路の後に切削工具を金属加工物から後退させるステップと、第２の経路の前に切削工具を工具旋回軸の周りで旋回させるステップとをさらに含む。
【００９６】
このような方法によって、第１の経路の終わりまたは出口における切削工具の配向に拘わらず、第２の経路の入口における切削工具の配向が自由に選択できるため、工具耐用期間および／または切屑制御は向上させることができる。
【００９７】
第１の方向および第２の方向における工具旋回軸の移動は、それぞれ線形または非線形であり得る。別の言い方をすれば、第１の経路および第２の経路は、直線、もしくは非線形の線、または工具経路に沿っている。
【００９８】
したがって、方法は、第１の経路の後に切削工具を金属加工物から後退させる、つまり、切削から外すステップと、切削工具が切削から外れている間、第２の経路である切削へと向かう前に切削工具を工具旋回軸の周りで旋回させるステップとを含む。
【００９９】
第１の経路の後であるが第２の経路の前での工具旋回軸の周りでの切削工具の旋回は、好ましくは３６０°未満であり、より好ましくは２０°〜１７０°であり、さらにより好ましくは４０°〜１３０°である。
【０１００】
実施形態によれば、方法は、所定の特徴を金属加工物に漸進的に切削するために第１の経路と第２の経路とを繰り返すステップをさらに含む。
【０１０１】
このような方法によって、深いポケットなど比較的深い所定の特徴がより短い時間で機械加工できる。この文脈における深いとは、第１の切れ刃または第２の切れ刃について推奨される切削深さの２倍を超える金属除去深さを要求する所定の特徴を意味する。
【０１０２】
したがって、方法は、好ましくはポケットまたは溝の形態での所定の特徴が金属加工物の所定の場所に漸進的に切削されるように、第１の経路と第２の経路とを繰り返すステップをさらに含む。
【０１０３】
別の言い方をすれば、方法は、後続の経路が反対または実質的に反対の方向である切削工具の一連の交互の経路を含む。
【０１０４】
実施形態によれば、方法は、凸状ノーズ切れ刃との接触の点における金属加工物の接線が結合部と交差または実質的に交差するように工具旋回軸を設定するステップをさらに含む。
【０１０５】
このような方法によって、接線方向の切削力が、結合部が連結される機械スピンドルに向けて方向付けられる。それによって、振動または撓みの危険性が低減させられる。それによって、より深いポケットが機械加工できる。
【０１０６】
したがって、方法は、凸状ノーズ切れ刃との接触の点における金属加工物の接線が結合部と交差するように、および、工具旋回軸が、前記接線と同一線上、もしくは実質的に同一線上、または平行、もしくは実質的に平行になるように、つまり１０°以内となるように、工具旋回軸を設定するステップをさらに含む。別の言い方をすれば、工具旋回軸の方向は接線方向の力の方向と同一線上、もしくは実質的に同一線上、または平行、もしくは実質的に平行である。
【０１０７】
工具旋回軸は、金属加工物の周囲面と交差する、または、金属加工物の周囲面からある距離で離間させられ、より明確には、第１の経路および第２の経路の間に機械加工された表面と交差する、または、その表面からある距離で離間させられる。前記距離は好ましくは８０ｍｍ未満であり、さらにより好ましくは５０ｍｍ未満であり、さらにより好ましくは２０ｍｍ未満である。
【０１０８】
実施形態によれば、切削部は第２のノーズ部を備え、第１のノーズ部および第２のノーズ部は切削工具の自由端を各々形成し、上面図において、第１のノーズ部と第２のノーズ部とは、中間部の長手方向中心軸の周りで測定されるときに互いに対して９０°超の角度を形成する。
【０１０９】
このような切削工具によって、切削工具はより長い時間にわたって使用できる。使用した第１のノーズ部から新しいかまたは未使用の第２のノーズ部への変更は、非常に短い時間で行え、ＣＮＣ旋盤の制御システムによって制御される旋回移動とすることができる。
【０１１０】
好ましくは、第１のノーズ部と第２のノーズ部とは、好ましくは切削部が切削インサートの形態にあるなど、永久的に連結される。
【０１１１】
切削部の上面が見る人の方を向いている上面図において、第１のノーズ部と第２のノーズ部とは、中間部の長手方向中心軸の周りで測定されるときに互いに対して９０°超、好ましくは１２０°または１８０°の角度を形成する。
【０１１２】
好ましくは、切削部は、上面図において対称または実質的に対称に１８０°または１２０°である。
【０１１３】
好ましくは、上面図において、第１の切れ刃と同一線上の第１の延長線と、第２の切れ刃と同一線上の第２の延長線とは、中間部の長手方向中心軸に対して両側において延びる。
【０１１４】
好ましくは、上面図において、第１の切れ刃と第２の切れ刃との間に形成される二等分線の延長が中間部の長手方向中心軸と交差する。
【０１１５】
実施形態によれば、結合部と中間部とは工具本体を合同で形成し、切削部は第１の切削インサートの形態であり、工具本体の前端が、第１の切削インサートのための第１のインサート座部によって定められ、第１の切削インサートは、締め付け手段によって第１のインサート座部において取り外し可能に締め付けられ、第１の切削インサートは、上面と反対の下面を備え、側面が上面と下面とを連結し、中間平面が上面と下面との間の中間で延び、ノーズ切れ刃は、上面図において、０．１５〜１．３ｍｍの曲率半径を有して凸状に湾曲される。
【０１１６】
切削部が第１の切削インサートの形態にあるこのような方法によって、第１の切削インサートだけが使用後に差し替えられる必要があり、それによって切削工具をより経済的にする。
【０１１７】
切削工具は、好ましくは超硬合金など、金属切削に適した硬い耐摩耗材料から好ましくは作られる第１の切削インサートを備える。切削工具は、例えば鋼鉄など、比較的より劣った耐摩耗材料から好ましくは作られる工具本体を備える。工具本体は結合部と中間部とを備える。結合部と中間部とは永久的に連結され、それによって工具本体を単一の物体の形態で形成する。
【０１１８】
工具本体は、締め付け部分によって定められる後端と、第１の切削インサートのための第１のインサート座部またはインサートポケットによって定められる前端との間で長手方向に延びる。
【０１１９】
第１の切削インサートは、例えば１つまたは複数のネジを用いてといった締め付け手段によって、第１のインサート座部において取り外し可能もしくは除去可能に締め付けまたは係止される。
【０１２０】
第１の切削インサートは、前記締め付けネジのための孔を好ましくは備え、孔は第１の切削インサートの上面および下面と交差する。前記孔は第１の切削インサート中心軸を好ましくは定める。第１の切削インサート中心軸は、好ましくは旋回軸と同一線上または並行である。
【０１２１】
第１の切削インサートは、上面と反対の下面を備える。上面はすくい面を備える。側面は上面と下面とを連結する。側面は逃がし面を備える。第１の切れ刃、第２の切れ刃、およびノーズ切れ刃は、側面と上面との間の交差部に形成される。
【０１２２】
中間平面が上面と下面との間の中間で延びる。好ましくは、前記中間平面は、中間部の長手方向中心軸に対して垂直であり、旋回軸に対して垂直である。
【０１２３】
第１の切削インサートは中間平面に対して鏡面対称であってもよい。別の言い方をすれば、第１の切削インサートは、いわゆるネガティブの切削インサートであり得る。
【０１２４】
好ましくは、上面の面積は下面の面積より大きく、前記面積は、前記面の外側境界線の内側の面積として定められる。別の言い方をすれば、好ましくは、第１の切削インサートはポジティブの切削インサートであり得る。このようなインサートは向上した逃げを与える。
【０１２５】
好ましくは、上面および下面は、それらの形が対応または実質的に対応するように成形される。例えば、上面が概して三角形とされる場合、下面は好ましくは三角形とされる。他の適切な形には菱形がある。
【０１２６】
好ましくは、第１の切削インサートは、第１のインサート座部旋回係止手段と協働する旋回係止手段を備える。
【０１２７】
前記第１の切削インサートの旋回係止手段または旋回防止手段は、第１の切削インサートの下面に、好ましくは１つもしくは複数の突起または凹所の形態で、さらにより好ましくは１つもしくは複数の溝または隆条部の形態で、好ましくは形成される。
【０１２８】
ノーズ切れ刃は、上面図において、０．１５〜１．３ｍｍの曲率半径を有して凸状に湾曲される。別の言い方をすれば、上面図において、ノーズ切れ刃はアーチ状にされる。ノーズ切れ刃は、上面図において、円形のアーチの形を有し得る。代替で、ノーズ切れ刃は、上面図において、例えば、ワイパノーズ半径、もしくはワイパ半径、またはワイパ設計として一般的には知られている形など、アーチ形とされるが完全な円形のアーチから逸脱する形を有してもよい。
【０１２９】
上面図において、第１のノーズ部および第２のノーズ部は、好ましくは、工具本体の前端の外側で径方向に延び、つまり、インサート座部の外側で径方向に延びる。
【０１３０】
上面図において、中間部は、好ましくは、結合部の外側境界線の内側にある。
【０１３１】
中間部の前端、つまり、工具本体の前端は、好ましくは、ちょうど１つのインサート座部から成る。
【０１３２】
実施形態によれば、方法は、切削工具を金属加工物から後退させるステップと、第１のノーズ部が金属加工物から離れる方に移動させられるように、および、第２のノーズ部が金属加工物に向けて移動させられるように、切削工具を工具旋回軸の周りで旋回させるステップとをさらに含む。
【０１３３】
このような方法によって、有効位置にある使用された第１のノーズ部から有効位置における第２の新たなノーズ部への変更が短時間で行えるため、割り出し時間が短縮される。従来、回転において、割り出しは手作業で行われており、切削インサートをインサート座部から除去するステップを伴う。代替で、新たなノーズ部への変更は、使用された切削工具を機械接合部分から除去することを伴う自動または手動のステップによって行われる。従来の切削工具を使用する前述の従来の方法と比較して、本切削工具は、より短い時間しか掛からない選択肢を提供する。
【０１３４】
したがって、方法は、好ましくは第２の経路の後、切削工具を金属加工物から後退させるステップを含む。切削工具は、後続の旋回の間に干渉を回避するために、十分な逃げが提供されるように十分な距離で後退させられる。前記旋回は、第１のノーズ部が金属加工物から離れる方に移動させられるように、および、第２のノーズ部が金属加工物に向けて移動させられるように、切削工具を工具旋回軸の周りで旋回させることを意味する。別の言い方をすれば、割り出しは、使用された第１のノーズ部が無効位置へと持って行かれるように、および、新たな第２のノーズ部が有効位置へと持って行かれるように行われる。
【０１３５】
前記旋回は、第１のノーズ部分と第２のノーズ部分との間の上面図における角度差と好ましくは等しいかまたは実質的に等しい。前記旋回は、好ましくは、９０°、１２０°、１８０°、または２４０°に等しいかまたは実質的に等しい。
【０１３６】
好ましくは、前記方法は、第１のノーズ部に関して対応する方法で第２のノーズ部を使用して、金属加工物、または、前記金属加工物と同様または実質的に同様の第２の金属加工物を切削するステップを含む。
【０１３７】
実施形態によれば、凸状ノーズ切れ刃は工具旋回軸と交差または実質的に交差し、長手方向中心軸は工具旋回軸と平行に、かつ工具旋回軸から離間している。
【０１３８】
このような切削工具によって、凸状ノーズ切れ刃についての位置決めは、より便利な手法で決定でき、それによって、ＣＮＣ旋盤のプログラミングをより容易に行える。
【０１３９】
このような切削工具によって、特に第１のノーズ部と第２のノーズ部とが上面図において１８０°または実質的に１８０°の角度を形成する場合に第２のノーズ部を使用するとき、干渉の危険性が低減されるため、より深いポケットが機械加工できる。
【０１４０】
凸状ノーズ切れ刃は工具旋回軸と交差または実質的に交差する。この文脈における実質的な交差は、凸状ノーズ切れ刃の中間点が工具旋回軸から０．５ｍｍ以内に位置決めされるなどとして解釈される。
【０１４１】
実施形態によれば、第１のノーズ部と第２のノーズ部とは長手方向中心軸に対して対称に配置され、長手方向中心軸は工具旋回軸と同一線上にある。
【０１４２】
このような切削工具によって、第１の切削インサートの割り出しは、第１の切削インサートが細い空洞または細いポケットの内側にある場合、より複雑でない方法で行うことができる。この文脈における割り出しは、１つの切削部が有効位置に位置決めされるように、好ましくは１２０°または１８０°といった角度での切削工具の旋回軸の周りでの旋回を通じて行われる。このような切削工具によって、切削工具は、切削部を交換することなく長い時間にわたって使用できる。
【０１４３】
好ましくは、上面図における切削部は、少なくとも２つであるが４つ以上ではないノーズ部を備える。
【０１４４】
例えば、切削部は、上面図において互いに対して１８０°で配置される２つのノーズ部を備え得る。このような場合、工具旋回軸は第１のノーズ部と第２のノーズ部との間の中間で延びる。
【０１４５】
別の例では、切削部は、上面図において互いに対して１２０°で配置される３つのノーズ部を備え得る。このような場合、工具旋回軸は第１のノーズ部と第２のノーズ部と第３のノーズ部との間の中間で延びる。
【０１４６】
好ましくは、第１の切れ刃と第２の切れ刃との間で延びる二等分線が長手方向中心軸と交差する。
【０１４７】
実施形態によれば、切削工具は、第２のインサート座部において締め付けられる第２の切削インサートを備え、第２のインサート座部は工具本体の中間部において形成され、第２のインサート座部は、長手方向において第１の切削インサートと結合部との間に位置決めされ、第１の切削インサートおよび結合部から離間され、方法は、切削工具を金属加工物から後退させるステップと、切削工具を工具旋回軸に沿って前方向に移動させるステップとをさらに含む。
【０１４８】
このような切削工具によって、第１の切削インサートから第２の切削インサートへの変更が短い時間で行えるため、部品を機械加工するための時間がさらに短縮できる。
【０１４９】
切削工具、より正確には工具本体は、第２のインサート座部において、好ましくは締め付けネジを用いて、締め付けられるかまたは除去可能に留め付けられる第２の切削インサートの形態で第２の切削部を備える。
【０１５０】
好ましくは、第２の切削インサートは、第１の切削インサートと比較して、上面図において形が異なる。例えば、第２の切削インサートはネジ切りインサートまたは溝切りインサートであり、第１の切削インサートは回転インサートである。
【０１５１】
第２のインサート座部は、長手方向において第１の切削インサートと結合部との間で、第１の切削インサートおよび結合部から離間される工具本体の中間部に形成される。別の言い方をすれば、第２のインサート座部は第１のインサート座部の後方に配置される。
【０１５２】
好ましくは、第２の切削インサートは、第２のインサートの少なくとも１つのノーズ部が、第１のノーズ部と比較して位置決めされ、中間部の長手方向中心軸より大きな距離に配置されるように、第２のインサート座部に除去可能に留め付けられる。
【０１５３】
好ましくは、第２の切削インサートにおいて、上面図において有効位置（つまり、径方向外側の位置）におけるノーズ部が、第１のノーズ部および第２のノーズ部に対して等しい大きい角度または実質的に等しい大きい角度を形成するように、第２の切削インサートは第２のインサート座部において除去可能に留め付けられる。例えば、切削工具が上面図において見られるとき、第１の切削インサートは、６時および１２時に配置される２つのノーズ部を備えてもよく、第２の切削インサートは、おおよそ３時または代替でおおよそ９時に配置される径方向外側のノーズ部を備えてもよく、ここで、時間の参照は、アナログの１２時間の時計に言及している。このような切削工具によって、逃げがさらに向上させられる。
【０１５４】
好ましくは、切削工具は第３のインサート座部を備える。好ましくは、第３のインサート座部は、中間部の長手方向中心軸に対して、第２のインサート座部の反対または実質的に反対に位置決めされる。
【０１５５】
好ましくは、第３のインサート座部と第２のインサート座部とは、長手方向において締め付け部分から等しい距離または実質的に等しい距離に位置決めされる。
【０１５６】
方法は、後続の移動の間に衝突または接触を回避するために十分な逃げまたは空間を提供するように、切削工具を金属加工物から後退させるステップをさらに含む。
【０１５７】
方法は、切削工具を工具旋回軸に沿って前方向に移動させるステップをさらに含む。別の言い方をすれば、方法は、第１の切削インサートが金属加工物から遠くに離れるように持って行かれるように、および、第２の切削インサートが金属加工物の近くに持って来られるように、切削工具の長手方向の運動を含む。
【０１５８】
前記方法は、好ましくは、第２の切削インサートが有効位置になるように、切削工具を工具旋回軸の周りで所定の角度で回転させるステップをさらに含む。前記所定の角度は、好ましくは、３０°〜３３０°の範囲内にあり、さらにより好ましくは、８０°〜１００°の範囲内にある。
【０１５９】
好ましくは、前方向における前記移動の距離は、第１の切削インサートと第２の切削インサートとの間の長手方向の距離と等しいかまたは実質的に等しい。
【０１６０】
実施形態によれば、方法は、最大切屑厚さを第１の経路および／または第２の経路の間に一定または実質的に一定に設定するステップをさらに含む。
【０１６１】
このような方法によって、特には幾何学的な制限が一定の切込み角を可能にしない機械加工のとき、工具耐用期間および／または生産性はさらに向上させられる。
【０１６２】
切取り厚さとしても知られ、「ｈｅｘ」と呼ばれることもある最大切屑厚さｈｘは、ｈｘ＝ｆ×ｓｉｎ  Ｋとなるように、リード角としても知られる切込み角Ｋの正弦関数で乗算された１回転当たりの送り込み速さｆとして定められる。１回転当たりの送り込み速さｆは、倣削りにおいてであり、つまり、送り込みが、径方向の成分と長手方向の成分との合計に等しい径方向および長手方向の成分を含む場合である。別の言い方をすれば、ある点における前記送り込み速さｆは、前記点の長手方向の送り込み成分および径方向の送り込み成分のベクトルの合計に等しい。実質的に一定の最大切屑厚さによって、最大切屑厚さｈｘが第１の経路および／または第２の経路の少なくとも９０％の間に±２５％内で変化することを意味する。切込み角Ｋは、送り方向と有効な主切れ刃との間の角度として定められる。第１の経路の間、第１の切れ刃は有効な主切れ刃である。第２の経路の間、第２の切れ刃は主切れ刃である。前記切込み角Ｋは、好ましくは９０°以下であり、好ましくは５°〜８５°である。
【０１６３】
実施形態によれば、加工物旋回軸の周りでの金属加工物の旋回の方向は、第１の経路と第２の経路との両方の間で同じである。
【０１６４】
例えば、金属加工物は、第１の経路と第２の経路との両方の間で時計回り方向に旋回する。代替で、金属加工物は、第１の経路と第２の経路との両方の間で反時計回り方向に旋回する。
【０１６５】
実施形態によれば、第１の経路と第２の経路とは長手方向において反対の方向にある。
【０１６６】
実施形態によれば、コンピュータプログラムが、コンピュータ数値制御旋盤によって実行されるとき、コンピュータ数値制御旋盤に、先に定められた回転方法を実施させる命令を有する。
【０１６７】
このようなコンピュータプログラムによって、前記回転方法は数多くのＣＮＣ旋盤またはＣＮＣ機械において容易に実施できる。
【０１６８】
前記コンピュータプログラムは、切削工具の移動および旋回を制御するための命令と、先に定められた方法による回転加工を用いて素材を除去するための金属加工物の旋回のための命令とを有する。
【０１６９】
前記命令は、切削速度、送り込み速さ、工具経路、および切削深さなどの切削データを含み得る。
【０１７０】
ここで、本発明は、本発明の異なる実施形態の記載によって、および、添付の図面を参照して、より詳細に説明される。
【図面の簡単な説明】
【０１７１】
【図１】第１の切削工具の一部である工具本体の斜視図である。
【図２】第１の切削工具の斜視図である。
【図３】図１における工具本体のインサート座部の斜視図である。
【図４】図２における切削工具の側面図である。
【図５】図２における切削工具のさらなる側面図である。
【図６】第２の切削工具の側面図である。
【図７】図６における切削工具の斜視図である。
【図８】図６における切削工具の上面図である。
【図９】第３の切削工具の斜視図である。
【図１０】図９における切削工具の側面図である。
【図１１】図９における工具本体の斜視図である。
【図１２】図１１における工具本体のインサート座部の斜視図である。
【図１３】図９における切削インサートの斜視図である。
【図１４】図１３における切削インサートの側面図である。
【図１５】図１３における切削インサートの上面図である。
【図１６】図１３における切削インサートのさらなる斜視図である。
【図１７】第４の切削工具の側面図である。
【図１８】図１７における切削工具のさらなる側面図である。
【図１９】図１７における切削工具の斜視図である。
【図２０】図１７における切削工具の上面図である。
【図２１】図６における切削工具を使用する第１の回転方法の実施形態による第１の経路の開始である。
【図２２】図２１に示された第１の経路の終了である。
【図２３】図６における切削工具を使用する第１の回転方法の実施形態による第２の経路の開始である。
【図２４】図２３に示された第２の経路の終了である。
【図２５】図９における切削工具を使用する第２の回転方法の実施形態による第１の経路の図示である。
【図２６】図９における切削工具を使用する回転方法による第２の経路の図示である。
【図２７】第３の回転方法の実施形態による複数の経路の図示である。
【図２８】図９における切削工具を使用する回転方法の側面図である。
【図２９】図９における切削工具を使用する回転方法による側面図である。
【図３０】図２５および図２６における回転方法の側面図である。
【図３１】図２８に示された切削工具および金属加工物の斜視図である。
【図３２】図１７における切削工具を使用する第４の回転方法の実施形態の側面図である。
【図３３】図１７における切削工具を使用する第４の回転方法の実施形態の側面図である。
【図３４】図６における切削工具を使用する第５の回転方法の実施形態の側面図である。
【発明を実施するための形態】
【０１７２】
すべての切削工具および切削インサートの図は一定の縮尺で描かれている。
【０１７３】
ここで、本発明はより詳細に説明され、本発明による方法を実施するために使用できる切削工具の例が説明される。第１〜第４の切削工具である、４つの切削工具、または、切削工具の４つの実施形態がより詳細に説明される。このような切削工具は、前述の回転方法を実施するための具体的に適していることは見出されている。
【０１７４】
工具本体３および切削インサート２を備える第１の切削工具１を示す図１〜図５を参照する。工具本体３は、図１では切削インサート２なしで示されている。切削工具は、図３に示されているインサート座部６を備える。切削工具１は、結合部４、中間部５、および切削部２を備える回転工具である。結合部４と中間部５とは永久的に連結され、鋼鉄から作られた工具本体３を合同で形成している。切削部２は、超硬合金から作られた第１の切削インサート２の形態である。第１の実施形態による切削工具１は、１つだけの切削インサートを備える。
【０１７５】
結合部４は旋回可能な機械接合部分（図示せず）に適している。結合部４は、実質的に円錐形または先細りの部分３９と、ＩＳＯ  ２６６２３−１：２０１４に準拠する輪状に成形された部分４０とを備える。
【０１７６】
工具本体３の前端２０または前方端が、第１の切削インサート２のための第１のインサート座部６によって定められる。第１の切削インサート２は、締め付け手段１４によって第１のインサート座部６に取り外し可能に締め付けられ、前記締め付け手段は締め付けネジ１４の形態である。
【０１７７】
第１の切削インサート２は、上面７と反対の下面８を備える。側面９が上面７と下面８とを連結する。
【０１７８】
図４において見られるように、中間平面Ｍ１が上面７と下面８との間の中間で延びている。
【０１７９】
中間部５は結合部４と切削部２との間で延びている。
【０１８０】
結合部４の長手方向中心軸が工具旋回軸Ｒ１を定めている。
【０１８１】
中間部５はその長手方向中心軸Ａ１に沿って延びている。
【０１８２】
第１の実施形態による切削工具１について、長手方向中心軸Ａ１は、図２、図４、および図５に見られるように、工具旋回軸Ｒ１と同一線上または同軸である。
【０１８３】
中間平面Ｍ１は、中間部５の長手方向中心軸Ａ１に対して垂直であり、旋回軸Ｒ１に対して垂直である。
【０１８４】
第１の切削インサート２の上面７は結合部４から離れる方を向いている。上面７は平面状ではなく、切屑破壊手段または切屑破壊物を突起の形態で備える。
【０１８５】
第１の切削インサート２は、切削工具１の自由端を各々形成する第１のノーズ部１０および第２のノーズ部１０’を備える。
【０１８６】
第１のノーズ部１０は、上面図において両方とも真っ直ぐな第１の切れ刃１１および第２の切れ刃１２と、第１の切れ刃１１と第２の切れ刃１２とを連結する凸状ノーズ切れ刃１３とを備える。凸状ノーズ切れ刃１３は上面図において凸状である。ノーズ切れ刃１３は、上面図において、０．１５〜１．３ｍｍの曲率半径を有して凸状に湾曲されている。第１の実施形態による切削工具の上面図が示されていないが、第１の実施形態による第１の切削インサート２の上面図が、同一の切削インサートを示す図８において示されている。
【０１８７】
第１の実施形態によれば、曲率半径は０．４ｍｍである。
【０１８８】
第１の切れ刃１１および第２の切れ刃１２は、３５°であるノーズ角を形成している。
【０１８９】
上面図において、第１のノーズ部１０と第２のノーズ部１０’とは、中間部５の長手方向中心軸Ａ１の周りで測定されるときに互いに対して１８０°の角度を形成している。
【０１９０】
第１の切削インサート２は、上面図および下面図において１８０°対称である。第１の切削インサートは上面図において平行四辺形とされている。
【０１９１】
図３に示されているように、第１のインサート座部６は、隆条部２３〜２６を備える第１のインサート座部旋回係止手段を備え、ここで、２つの隆条部２３、２６は同一線上にあり、２つの隆条部２４、２５は平行である。
【０１９２】
第１の切削インサート２は、下面８に形成され、第１のインサート座部旋回係止手段２３〜２６と協働する溝（図示せず）の形態での第１の切削インサート旋回係止手段を備える。
【０１９３】
第１の切削インサート２は締め付けネジ１４のための孔を備える。前記孔は上面８および下面９と交差し、孔の中心軸は、旋回軸Ｒ１および長手方向中心軸Ａ１と同一線上の第１の切削インサート中心軸を定めている。
【０１９４】
切削工具１は、工具本体３に形成され、結合部４とノズル２８との間で延びる冷却剤通路を備える。前記ノズル２８は中間部５に形成されており、冷却剤通路とノズル２８とは、冷却剤流体を第１のノーズ部１０および第２のノーズ部１０’に向けて方向付けるように配置されている。
【０１９５】
ここで、切削インサート２を備える第２の切削工具１を示す図９〜図１６を参照する。第１の切削工具と比較しての主たる違いは、切削インサート２およびインサート座部６の設計に関する。
【０１９６】
図１５で見られるような上面図において、第１の切れ刃１１と同一線上の第１の延長線２１と、第２の切れ刃１２と同一線上の第２の延長線２２とが、第１の切削インサート中心軸Ａ２に対して両側において延びており、第１の切削インサート中心軸Ａ２は、切削インサート２がインサート座部６に装着されるとき、旋回軸Ｒ１および長手方向中心軸Ａ１と同一線上にある。先の文は、第１の実施形態による切削工具１についても当てはまる。
【０１９７】
第１の切削インサート２は３つのノーズ部１０、１０’、１０”を備える。第１の切削インサート２は、上面図および下面図において１２０°対称である。
【０１９８】
図１５において見られるような上面図では、第１の切れ刃１１および第２の切れ刃１２は、３５°であるノーズ角αを形成している。
【０１９９】
図１２において見られるように、第１のインサート座部６は、隆条部２３〜２５を備える第１のインサート座部旋回係止手段を備え、前記隆条部２３〜２５は、第１のインサート座部６に形成された締め付けネジ１４のための孔３２に対して径方向に延びている。
【０２００】
第１の切削インサート２は、下面８に形成され、第１のインサート座部旋回係止手段２３〜２６と協働する溝１６〜１８を備える第１の切削インサート旋回係止手段を備える。
【０２０１】
ここで、第４の切削工具１を示す図１７〜図２０を参照する。第４の切削工具１は、切削工具１が第２のインサート座部および第３のインサート座部にそれぞれ締め付けまたは装着される第２の切削インサート２９および第３の切削インサート３０を備える点において、第１の切削工具と主に異なる。前記第２のインサート座部および前記第３のインサート座部は、長手方向において第１の切削インサート２と結合部４との間で、第１の切削インサート２および結合部４から離間される工具本体３の中間部５に形成されている。
【０２０２】
第２の切削インサート２９および第３の切削インサート３０は、第１の切削インサート２と比較して、上面図において形が各々異なる。第３の切削インサート３０はネジ切りインサートである。
【０２０３】
第２の切削インサート２９および第３の切削インサート３０は、ノーズ部を各々備え、前記ノーズ部の各々は切れ刃のセットを備える。
【０２０４】
第１の切削インサート２と比較して、第２の切削インサート２９および第３の切削インサート３０は、中間部５の長手方向中心軸Ａ１からより大きい距離に配置される。
【０２０５】
図２０において見られるような上面図において、第２の切削インサート２９および第３の切削インサート３０は、第１のノーズ部および第２のノーズ部に対して等しく大きい角度または実質的に等しく大きい角度を形成する。図２０では、第１の切削インサートは、６時および１２時にそれぞれ配置されている２つのノーズ部１０、１０’を備える。第２の切削インサート２９は９時に配置されており、第３の切削インサート３０は３時に配置されており、ここで、時間の参照は、アナログの１２時間の時計に言及しており、長手方向中心軸Ａ１に対する相対位置に関連している。このような切削工具によって、逃げがさらに向上させられる。
【０２０６】
図１７において見られるように、第２の切削インサート２９および第３の切削インサート３０は、長手方向において締め付け部分４から等しい距離または実質的に等しい距離に位置決めされている。
【０２０７】
ここで、第２の切削工具１を示す図６〜図８を参照する。第２の切削工具１について、長手方向中心軸Ａ１が工具旋回軸Ｒ１と平行で工具旋回軸Ｒ１から離間されており、第１のノーズ部１０の凸状ノーズ切れ刃１３が工具旋回軸Ｒ１と交差または実質的に交差する点において、第２の切削工具１は第１の切削工具と主に異なる。別の言い方をすれば、中間部５は工具旋回軸Ｒ１に対してずれている。第１のノーズ部１０の凸状ノーズ切れ刃１３の中間点は、工具旋回軸Ｒ１から０．５ｍｍ以下に位置決めされている。
【０２０８】
他の点において、第２の切削工具１は第１の切削工具と同様である。例えば、図８において見られるような上面図において、第１の切れ刃１１と同一線上の第１の延長線２１と、第２の切れ刃１２と同一線上の第２の延長線２２とは、中間部５の長手方向中心軸Ａ１に対して両側において延びている。
【０２０９】
第１、第３、および第４の実施形態によれば、図８において見られるような上面図において、中間部５と第１の切削インサート２とは結合部４の外側境界線の内側にある。
【０２１０】
ここで、コンピュータによる数値制御旋盤（図示せず）についての第１の実施形態による回転方法を示す図２１〜図２４を参照する。前述の切削工具のいずれも使用できるが、第２の切削工具１が提供されている。切削インサート２は第１のノーズ部１０と第２のノーズ部１０’とを備える。図２１〜図２４における方法では、第２のノーズ部１０’は有効位置にある。方法は、代わりに第１のノーズ部１０が有効位置にある場合に実施されてもよい。このような場合、切削工具１は工具旋回軸Ｒ１の周りで１８０°旋回させられる。
【０２１１】
加工物旋回軸Ｒ２の周りに旋回する金属加工物３１が提供される。工具旋回軸Ｒ１は加工物旋回軸Ｒ２に対して垂直である。例では、加工物旋回軸Ｒ２は水平位置にあり、工具旋回軸Ｒ１は鉛直位置にある。１つの可能な代替は、加工物旋回軸Ｒ２を鉛直位置で配置し、工具旋回軸Ｒ１を水平位置で配置することである。
【０２１２】
方法は、第１の切れ刃１１’が有効となるように、および、第２の切れ刃１２’が無効となるように、および、機械加工表面３８がノーズ切れ刃１３’によって形成されるように、上面図で見たとき、切削工具１を移動させることで第１の経路３６を作るステップを含む。第１の経路３６の開始は図２１に示されている。第１の経路の終了または完了は図２２に示されている。
【０２１３】
方法は、第１の切れ刃１１’が無効となるように、第２の切れ刃１２’が有効となるように、および、第１の経路３６から機械加工表面３８の少なくとも一部分が機械加工されるように、切削工具１を移動させることで、第２の経路３７を作るステップを含み、第２の経路は第１の経路と長手方向または径方向で反対もしくは実質的に反対である。第２の経路３７の開始は図２３に示されている。第２の経路の終了または完了は図２４に示されている。図２１〜図２４に示されている方法について、第２の経路は第１の経路に対して長手方向で反対である。
【０２１４】
図２１および図２２から分かるように、前記第１の経路は線形である。したがって、前記第１の経路は、加工物旋回軸Ｒ２と平行である、つまり、加工物旋回軸Ｒ２に沿う成分３２によって定められ得る。
【０２１５】
図２３および図２４から分かるように、前記第２の経路は線形である。したがって、前記第２の経路は、加工物旋回軸Ｒ２と平行であり、第１の方向についての成分３２と反対である成分３３によって定められ得る。
【０２１６】
図２１および図２２において見られるように、第１の経路３６についての開始位置と終了位置とは離間されている。
【０２１７】
第１の経路３６および第２の経路３７の間、切込み角は一定である。
【０２１８】
加工物旋回軸Ｒ２の周りでの金属加工物３１の旋回の方向は、第１の経路３６と第２の経路３７との両方の間で同じである。
【０２１９】
第１の経路３６の後であるが第２の経路３７の前、切削工具１は金属加工物３１から後退させられる。
【０２２０】
切削工具１の後退の後であるが第２の経路３７の前、切削工具１は、４０°〜１３０°である角度で工具旋回軸Ｒ１の周りに旋回させられる。
【０２２１】
ここで、第３の切削工具を使用する第２の実施形態による回転方法を示す図２５〜図２６に注目する。切削工具の切削インサート２だけが示されている。方法は、前述されている切削工具のいずれかを用いて使用できる。
【０２２２】
加工物旋回軸Ｒ２の周りに旋回する金属加工物３１が提供される。工具旋回軸（図示せず）は加工物旋回軸Ｒ２に対して垂直である。方法は、第１の切れ刃１１が有効となるように、および、第２の切れ刃１２が無効となるように、および、機械加工表面３８がノーズ切れ刃１３によって形成されるように、切削工具を移動させることで、図２５に示された第１の経路を作るステップを含む。右手側から開始して左手側に向けて移動する切削インサート２の５つの位置が示されている。
【０２２３】
方法は、第１の切れ刃１１が無効となるように、および、第２の切れ刃１２が有効となるように、および、第１の経路からの機械加工表面３８の少なくとも一部分が機械加工されるように、切削工具を移動させることで、図２６に示された第２の経路を作るステップを含む。
【０２２４】
第１の経路の間、切削工具は、工具旋回軸の周りで、図２５では反時計回りである第１の方向に旋回する。
【０２２５】
第２の経路の間、切削工具は、工具旋回軸の周りで第２の方向に旋回し、図２６では時計回りである前記第２の方向は、前記第１の方向と反対である。
【０２２６】
図２５において見られるような第１の経路の間、切削工具は非線形または湾曲した線に沿って移動させられる。第１の経路は、左手側に向かっている長手方向の成分３２を含む。
【０２２７】
図２６において見られるような第２の経路の間、切削工具は非線形または湾曲した線に沿って移動させられる。第２の経路は、右手側に向かっている、つまり、第１の経路の長手方向の成分３２と反対である長手方向の成分３３を含む。
【０２２８】
第１の経路および第２の経路の間、切込み角は一定である。
【０２２９】
第１の経路の後であるが第２の経路の前、切削工具は金属加工物３１から後退させられる。
【０２３０】
加工物旋回軸Ｒ２の周りでの金属加工物３１の旋回の方向は、第１の経路３６と第２の経路３７との両方の間で同じである。
【０２３１】
ここで、第３の実施形態による回転方法を示す図２７に注目する。前述されている回転工具のいずれかが使用できる。第１の経路３６および第２の経路３７が示されている。前記第１の経路３６と前記第２の経路３７とは、第２の実施形態による回転方法と同様または実質的に同様である。前記第１の経路３６および前記第２の経路３７は、所定の特徴を金属加工物に漸進的に切削するために繰り返される。別の言い方をすれば、第３の実施形態による回転方法は、後続の経路が反対または実質的に反対の方向である切削工具の一連の交互の経路を含む。
【０２３２】
加工物旋回軸の周りでの金属加工物の旋回の方向は、第１の経路３６と第２の経路３７との両方の間で同じである。
【０２３３】
ここで、金属加工物３１および第３の切削工具１の相対的な位置および配向を側面図において示す図２８に注目する。代替で、前述されている切削工具の任意の他のものが使用できる。切削工具１は、ＣＮＣ旋盤（図示せず）の機械接合部分４０に締め付けられる結合部４と、中間部５と、切削インサートの形態での切削部２とを備える。ＣＮＣ旋盤（図示せず）は、コンピュータプログラム、コンピュータ読取可能媒体、またはデータ流における命令によって回転方法を実施するように指示され得る。結合部４の長手方向中心軸が工具旋回軸Ｒ１を定めている。中間部５はその長手方向中心軸Ａ１に沿って延びている。切削部２は、結合部４から離れる方を向く上面を備える。
【０２３４】
金属加工物３１は、図２８において、加工物旋回軸Ｒ２の周りで時計回り方向に回転する。
【０２３５】
工具旋回軸Ｒ１は加工物旋回軸Ｒ２に対して垂直である。工具旋回軸Ｒ１は、凸状ノーズ切れ刃１３との接触の点における金属加工物３１の接線が結合部４と交差するように配置されている。接線方向の切削力が機械接合部分４０に向けて方向付けられる。工具旋回軸Ｒ１は金属加工物３１の周囲面からある距離で離間されている。工具旋回軸Ｒ１は前記接線と平行である。
【０２３６】
ここで、金属加工物３１および第３の切削工具１の相対的な位置および配向を示す図２９に注目する。図２９における配置は、工具旋回軸Ｒ１が前記接線と平行ではないが前記接線に対して１０°以下の角度を形成する点だけにおいて、図２８と異なっている。
【０２３７】
ここで、切削工具１を含む図２５および図２６から切削インサート２の中心位置の側面図を示す図３０に注目する。
【０２３８】
ここで、図２８において示されている構成の斜視図を示す図３１に注目する。図示された金属加工物３１は円筒形であり、側部の表面４１、つまり、加工物旋回軸Ｒ２から離れる方を向く表面と、基部の表面４２、つまり、加工物旋回軸Ｒ２と平行な方向を向く表面とを備える。金属加工物３１は、見る人から離れる方を向く第２の基部の表面を備える。前述した第１、第２、第３、および第４の回転方法において、機械加工は、金属加工物３１の側部の表面４１において行われる。後述する第５の回転方法において、機械加工は、金属加工物３１の基部の表面４２において行われる。
【０２３９】
ここで、第４の切削工具１を使用する第４の実施形態による回転方法を示す図３２および図３３に注目する。
【０２４０】
方法は、第１の切削インサート２を使用する前述した回転方法のいずれかを含み、第４の切削工具１は、図３２に示されているような金属加工物３１に対して所定位置にある。方法は、切削工具１を金属加工物３１から後退させるステップと、切削工具１を工具旋回軸Ｒ１に沿って図３３に示された位置まで前方向に移動させるステップとをさらに含む。方法は、第２の切削インサート２９が有効位置になるように、切削工具１を工具旋回軸Ｒ１の周りで所定の角度で回転させるステップをさらに含む。前記所定の角度は８０°〜１００°の範囲内にある。
【０２４１】
ここで、前述の切削工具のいずれかが使用できるが第２の切削工具１を使用する第５の実施形態による回転方法を示す、図３４を参照する。
【０２４２】
加工物旋回軸Ｒ２の周りに回転する金属加工物３１が提供される。工具旋回軸Ｒ１は加工物旋回軸Ｒ２に対して垂直である。
【０２４３】
先に記載した回転方法と異なり、第５の実施形態による回転方法の間の機械加工は金属加工物３１の基部の表面において行われる。
【０２４４】
工具旋回軸Ｒ１は加工物旋回軸Ｒ２に対して垂直である。例では、加工物旋回軸Ｒ２と工具旋回軸Ｒ１との両方が水平位置にある。１つの可能な代替は、加工物旋回軸Ｒ２と工具旋回軸Ｒ１との両方を鉛直位置で配置することである。
【０２４５】
切削インサート２は第１のノーズ部１０と第２のノーズ部１０’とを備える。図３４における方法では、第２のノーズ部１０’は有効位置にある。方法は、代わりに第１のノーズ部１０が有効位置にある場合に実施されてもよい。このような場合、切削工具１は工具旋回軸Ｒ１の周りで１８０°旋回させられる。
【０２４６】
方法は、第１の切れ刃１１’が有効となるように、および、第２の切れ刃１２’が無効となるように、および、機械加工表面がノーズ切れ刃１３’によって形成されるように、切削工具を移動させることで第１の経路３６を作るステップを含む。
【０２４７】
方法は、第１の切れ刃１１’が無効となるように、および、第２の切れ刃１２’が有効となるように、および、第１の経路３６からの機械加工表面の少なくとも一部分が機械加工されるように、切削工具を移動させることで、第２の経路３７を作るステップを含む。
【０２４８】
第１の経路の間、切削工具は、工具旋回軸Ｒ１の周りで、図３４では反時計回りである第１の方向に回転する。
【０２４９】
第２の経路３７の間、切削工具は、工具旋回軸の周りで第２の方向に旋回し、図３４では時計回りである前記第２の方向は、前記第１の方向と反対である。
【０２５０】
第１の経路３６の間、切削工具は非線形または湾曲した経路に沿って移動させられる。第１の経路は、加工物旋回軸Ｒ２に対して垂直で加工物旋回軸Ｒ２に向かう、図３４において下向きの径方向の成分３４を含む。
【０２５１】
第２の経路３７の間、切削工具は非線形または湾曲である経路に沿って移動させられる。第２の経路は、加工物旋回軸Ｒ２に対して垂直で加工物旋回軸Ｒ２から離れる方への、図３４において上向きの径方向の成分３５、つまり、第１の経路の径方向の成分３４と反対の径方向の成分３５を含む。
【０２５２】
第１の経路および第２の経路の間、切込み角は一定である。
【０２５３】
第１の経路３６の後であるが第２の経路３７の前、切削工具は金属加工物３１から後退させられる。
【０２５４】
加工物旋回軸Ｒ２の周りでの金属加工物３１の旋回の方向は、第１の経路３６と第２の経路３７との両方の間で同じである。
【０２５５】
本出願では、「含む」などの用語の使用はオープンエンド形式であり、「備える」などの用語と同じ意味を有し、他の構造、材料、または行為の存在を除外しないように意図されている。同様に、「〜できる」または「〜し得る」などの用語の使用はオープンエンド形式であり、構造、材料、または行為が必要ではないことを反映するように意図されているが、このような用語を使用していないことが、構造、材料、または行為が必須であることを反映するようには意図されていない。構造、材料、または行為が必須であるようにここで見なされている限りにおいて、それらはそのようにして特定される。「上方」、「上向き」、「下方」、「上」、「下」、「前方」、「前」、および「後」などの用語は、ここでの図面において示され、当業者によって認識されるような特徴を参照している。
【図１】
2021516629.tif 000003
【図２】
2021516629.tif 000004
【図３】
2021516629.tif 000005
【図４】
2021516629.tif 000006
【図５】
2021516629.tif 000007
【図６】
2021516629.tif 000008
【図７】
2021516629.tif 000009
【図８】
2021516629.tif 000010
【図９】
2021516629.tif 000011
【図１０】
2021516629.tif 000012
【図１１】
2021516629.tif 000013
【図１２】
2021516629.tif 000014
【図１３】
2021516629.tif 000015
【図１４】
2021516629.tif 000016
【図１５】
2021516629.tif 000017
【図１６】
2021516629.tif 000018
【図１７】
2021516629.tif 000019
【図１８】
2021516629.tif 000020
【図１９】
2021516629.tif 000021
【図２０】
2021516629.tif 000022
【図２１−２４】
2021516629.tif 000023
【図２５−２７】
2021516629.tif 000024
【図２８】
2021516629.tif 000025
【図２９】
2021516629.tif 000026
【図３０】
2021516629.tif 000027
【図３１】
2021516629.tif 000028
【図３２】
2021516629.tif 000029
【図３３】
2021516629.tif 000030
【図３４】
2021516629.tif 000031
【国際調査報告】
2021516629.tif 000032
2021516629.tif 000033
2021516629.tif 000034